(57)【要約】【課題】商品収納部内に収納された商品に係るタグ情報を確実に読み取ることが可能な商品収納装置およびプログラムを提供することである。【解決手段】商品を収納する収納部を形成する底面部および複数の面を有する側面部と、前記底面部または前記複数の面のうちの一つの面である第１面に設けられ、前記収納部に収納された商品に付され、前記第１面付近の第１領域内に位置する無線タグに記憶された当該商品を特定する商品特定情報を含むタグ情報を受信する第１アンテナと、前記底面部または前記複数の面のうち前記第１面以外の一また複数の面である第２面に設けられ、前記第２面付近の第２領域内に位置する前記無線タグに記憶された前記タグ情報を受信する第２アンテナと、前記第１アンテナが受信した前記タグ情報を記憶する記憶部と、前記タグ情報を前記第２アンテナで受信して前記第１アンテナでは受信しなかった場合に、前記第１アンテナでは当該商品に係るタグ情報を受信していないことを報知する報知制御部と、を備える。【選択図】図６
2020095555.tif 000002
【特許請求の範囲】
【請求項１】
商品を収納する収納部を形成する底面部および複数の面を有する側面部と、
前記底面部または前記複数の面のうちの一つの面である第１面に設けられ、前記収納部に収納された商品に付され、前記第１面付近の第１領域内に位置する無線タグに記憶された当該商品を特定する商品特定情報を含むタグ情報を受信する第１アンテナと、
前記底面部または前記複数の面のうち前記第１面以外の一また複数の面である第２面に設けられ、前記第２面付近の第２領域内に位置する前記無線タグに記憶された前記タグ情報を受信する第２アンテナと、
前記第１アンテナが受信した前記タグ情報を記憶する記憶部と、
前記タグ情報を前記第２アンテナで受信して前記第１アンテナでは受信しなかった場合に、前記第１アンテナでは当該商品に係るタグ情報を受信していないことを報知する報知制御部と、
を備えた商品収納装置。
【請求項２】
前記第１アンテナで受信した前記タグ情報であるか前記第２アンテナで受信した前記タグ情報であるかを判断する判断部、をさらに備え、
前記報知制御部は、前記判断部が、前記第２アンテナで受信した前記タグ情報であることを判断した場合に、前記第１アンテナでは当該商品に係るタグ情報を受信していないことを報知する、
請求項１に記載の商品収納装置。
【請求項３】
前記第１面は、前記側面部の一つの面である、
請求項１または２に記載の商品収納装置。
【請求項４】
前記第２面は、前記底面部と一または複数の面の側面部である、
請求項１乃至３のいずれか一に記載の商品収納装置。
【請求項５】
前記記憶部が記憶した前記タグ情報を、販売データ処理装置に送信する送信部、をさらに備えた、
請求項１乃至４のいずれか一に記載の商品収納装置。
【発明の詳細な説明】
【技術分野】
【０００１】
本発明の実施形態は、商品収納装置に関する。
【背景技術】
【０００２】
例えば、スーパーマーケットやコンビニエンスストア等の店舗において、購入する商品を収納するカゴやショッピングカート等の商品収納部を備えた商品収納装置であって、アンテナを装着し、商品収納装置に収納される商品に付された無線タグから発信された商品を特定する商品特定情報を当該アンテナで受信して読み取る商品収納装置が存在する。この商品収納装置は、顧客が店舗内において購入したい商品を取って商品収納装置に商品を入れる際に、当該商品に付された無線タグから商品特定情報を読み取る。
【０００３】
しかしながら、多くのの顧客が商品収納装置を携えて店内に居る場合、商品収納装置通しが接近すると、他人の商品収納装置に収納された商品に付された無線タグに記憶された商品特定情報を含むタグ情報を自分の商品収納装置のアンテナが誤って受信する場合がある。このような誤読を防ぐため、アンテナからの出力はかなり微弱にしている。そして、顧客が、商品を収納する際に、アンテナに近づけることで、商品に係るタグ情報を読み取っている。ところが、顧客が、商品を商品収納装置に収納する際に、アンテナに近づける距離が足りないと、アンテナによってタグ情報を受信できず、当該商品に係るタグ情報を読めないことがある。
【発明の概要】
【発明が解決しようとする課題】
【０００４】
本発明が解決しようとする課題は、商品収納部内に収納された商品に係るタグ情報を確実に読み取ることが可能な商品収納装置を提供することである。
【課題を解決するための手段】
【０００５】
実施形態の商品収納装置は、商品を収納する収納部を形成する底面部および複数の面を有する側面部と、前記底面部または前記複数の面のうちの一つの面である第１面に設けられ、前記収納部に収納された商品に付され、前記第１面付近の第１領域内に位置する無線タグに記憶された当該商品を特定する商品特定情報を含むタグ情報を受信する第１アンテナと、前記底面部または前記複数の面のうち前記第１面以外の一また複数の面である第２面に設けられ、前記第２面付近の第２領域内に位置する前記無線タグに記憶された前記タグ情報を受信する第２アンテナと、前記第１アンテナが受信した前記タグ情報を記憶する記憶部と、前記タグ情報を前記第２アンテナで受信して前記第１アンテナでは受信しなかった場合に、前記第１アンテナでは当該商品に係るタグ情報を受信していないことを報知する報知制御部と、を備える。
【図面の簡単な説明】
【０００６】
【図１】図１は、実施形態にかかる商品収納装置の外観を示す斜視図である。
【図２】図２は、商品収納装置を上から見た説明図である。
【図３】図３は、商品収納装置および無線タグリーダのハードウェア構成を示すブロック図である。
【図４】図４は、ＰＯＳ端末（Point  of  Sales）のハードウェア構成を示すブロック図である。
【図５】図５は、無線タグリーダの機能構成を示す機能ブロック図である。
【図６】図６は、無線タグリーダの制御処理の流れを示すフローチャートである。
【図７】図７は、ＰＯＳ端末の制御処理の流れを示すフローチャートである。
【発明を実施するための形態】
【０００７】
以下、図面を参照して、実施形態に係る商品収納装置について説明する。実施形態では、商品を収納するカゴを商品収納装置の一例として説明する。なお、以下に説明する実施形態により、この発明が限定されるものではない。
【０００８】
まず、店舗システムについて説明する。店舗には、多数の商品が商品棚等に陳列されている。買物をする顧客は、店舗の入口で商品収納装置を受け取る。そして店舗内を回遊して、購入する商品を商品棚から取り出して商品収納装置の商品収納部に収納する。
【０００９】
店内に陳列されている商品には、無線タグが付されている。無線タグとは、アンテナと記憶部を有し、後述する登録用アンテナ２３または警告用アンテナ２４から発信された電波をアンテナが受信すると電力が発生し、発生した電力によって記憶部に記憶されている情報（実施形態では商品を特定する商品特定情報を含むタグ情報）を登録用アンテナ２３または警告用アンテナ２４に向けて発信するタグである。無線タグは、粘着面を有し、粘着力で商品に貼付される。なお、無線タグは商品にバンド等で取り付けられていてもよい。なお、商品特定情報は、商品を個品として一意に特定する情報である。例えば、同一種類の商品を２個購入した場合（例えば同一品種の牛乳を２個購入した場合）、それぞれの個品の商品特定情報は異なっており、各個品を一意に特定することができる情報である。なお、商品特定情報には、商品の種類を特定する情報（商品コード）が含まれている。後述する商品マスタ３４２（図４を参照）には、商品の種類を特定する情報に基づいて、当該商品の商品名や価格を読み出す。
【００１０】
図１は、実施形態にかかる商品収納装置１の外観を示す斜視図である。図１に示すように、商品収納装置１は例えばカゴである。商品収納装置１は、内部に商品を収納する商品収納部８を備える。商品収納装置１は、内面に登録用アンテナ２３（第１アンテナ）と警告用アンテナ２４（第２アンテナ）（図２を参照）を備える。登録用アンテナ２３と警告用アンテナ２４は、商品収納部８に収納された商品に付された無線タグから商品特定情報を受信する。登録用アンテナ２３が受信した商品特定情報を含むタグ情報は、タグ情報記憶部１３１（図３を参照）に記憶される。登録用アンテナ２３と警告用アンテナ２４の詳細については、図２と図３で説明する。
【００１１】
購入するすべての商品を商品収納装置１に収納した顧客は、店舗に設けられた精算部に移動する。精算部には１台または複数台のＰＯＳ端末９（販売データ処理装置）が設置されている。ＰＯＳ端末は、販売される商品の売上登録処理および決済処理を実行する。売上登録処理とは、商品収納装置１から受信した商品特定情報に基づいて、商品マスタ３４２（図４を参照）から当該商品の商品情報（商品名、価格等）読み出し、読み出した当該商品の商品情報を表示するとともに、商品情報を商品情報部３３１（図４を参照）に記憶する処理をいう。決済処理とは、売上登録処理に伴い商品情報部３３１に記憶された商品情報に基づいて、取引に係る合計金額や税額の表示、顧客から預かった預り金に基づいて釣銭を計算して表示する処理、商品情報や決済情報（合計金額、預り金額、釣銭額等）を印字したレシートを発行する処理等をいう。なお、商品情報と決済情報を合わせた情報を売上情報という。
【００１２】
続いて、商品収納装置１の構造について説明する。図２は、商品収納装置１を上から見た説明図である。商品収納装置１は、側面側の４面に平面状の側面部２、側面部３、側面部４、側面部５を備え、かつ各側面部と連接した平面状の底面部６を備え、上方が開放されている。側面部２、側面部３、側面部４、側面部５および底面部６で囲まれた空間が商品収納部（収納部）である。
【００１３】
側面部２（第１面）は、無線タグから発信された商品特定情報を含むタグ情報を受信する登録用アンテナ２３を備える。側面部３（第２面）は、無線タグから発信された商品特定情報を含むタグ情報を受信する警告用アンテナ２４（２４１）を備える。側面部４（第２面）は、無線タグから発信された商品特定情報を含むタグ情報を受信する警告用アンテナ２４（２４２）を備える。底面部６（第２面）は、無線タグから発信された商品特定情報を含むタグ情報を受信する警告用アンテナ２４（２４３）を備える。なお、以降の説明で、警告用アンテナ２４１、警告用アンテナ２４２および警告用アンテナ２４３を総称する場合は警告用アンテナ２４という。
【００１４】
また、底面部６には、登録用アンテナ２３および警告用アンテナ２４と電気的に接続され、登録用アンテナ２３および警告用アンテナ２４が無線タグからタグ情報を受信すると、当該タグ情報を読み取る無線タグリーダ１０を備える。無線タグリーダ１０は、登録用アンテナ２３が受信した商品特定情報と警告用アンテナ２４が受信した商品特定情報とを区別することができる。無線タグリーダ１０の上部には、商品収納部８とを区切る底面部６をほぼ覆う平板７が設けられている。商品収納部８に収納された商品は、平板７上に載置される。無線タグリーダ１０については、図３で後述する。
【００１５】
側面部２に設けられた登録用アンテナ２３は、商品収納部８に向けて微弱な電波を発信する。登録用アンテナ２３から発信された電波は、登録用アンテナ２３付近であって、かつ商品収納部８の領域Ｐ１（第１領域）内に位置する無線タグに届く。領域Ｐ１は、登録用アンテナ２３から商品収納部８の内部の極近い距離（十数センチ程度）までである。そのため、顧客は、無線タグが付された商品を登録用アンテナ２３にかなり近づける動作を行う。すると、領域Ｐ１内に位置する無線タグは、登録用アンテナ２３から発信された電波に対して応答し、当該無線タグが記憶している商品特定情報を含むタグ情報を発信する。登録用アンテナ２３は、当該無線タグが発信したタグ情報を受信する。無線タグリーダ１０は、登録用アンテナ２３が受信したタグ情報を読み取る。なお、領域Ｐ１内に位置する無線タグは、警告用アンテナ２４１、警告用アンテナ２４２および警告用アンテナ２４３が発信する電波は届かず、警告用アンテナ２４が発信する電波を受信することはできない。そのため、領域Ｐ１内に位置する無線タグは、警告用アンテナ２４が発信する電波に対して応答しない。
【００１６】
側面部３に設けられた警告用アンテナ２４１は、商品収納部８に向けて微弱な電波を発信する。警告用アンテナ２４１は、登録用アンテナ２３に比べて２倍〜３倍程度の強さの微弱な電波を発信する。警告用アンテナ２４１から発信された電波は、商品収納部８の領域Ｐ２（第２領域）内に位置する無線タグに届く。領域Ｐ２は、警告用アンテナ２４１から商品収納部８内の近い距離（数十センチ程度）までである。そして、領域Ｐ２内に位置する無線タグは、警告用アンテナ２４１から発信された電波に対して応答し、当該無線タグが記憶している商品特定情報を含むタグ情報を発信する。警告用アンテナ２４１は、当該無線タグが発信したタグ情報を受信する。無線タグリーダ１０は、警告用アンテナ２４１が受信したタグ情報を読み取る。なお、領域Ｐ２内に位置する無線タグには、登録用アンテナ２３が発信する電波は届かず、登録用アンテナ２３が発信する電波を受信することはできない。そのため、領域Ｐ２内に位置する無線タグは、登録用アンテナ２３が発信する電波に対して応答しない。
【００１７】
側面部４に設けられた警告用アンテナ２４２は、商品収納部８に向けて微弱な電波を発信する。警告用アンテナ２４２は、登録用アンテナ２３に比べて２倍〜３倍程度の強さの微弱な電波を発信する。警告用アンテナ２４２から発信された電波は、商品収納部８の領域Ｐ３（第２領域）内に位置する無線タグに届く。領域Ｐ３は、警告用アンテナ２４２から商品収納部８の近い距離（数十センチ程度）までである。そして、領域Ｐ３内に位置する無線タグは、警告用アンテナ２４２から発信された電波に対して応答し、当該無線タグが記憶している商品特定情報を含むタグ情報を発信する。警告用アンテナ２４２は、当該無線タグが発信したタグ情報を受信する。無線タグリーダ１０は、警告用アンテナ２４２が受信したタグ情報を読み取る。なお、領域Ｐ３内に位置する無線タグには、登録用アンテナ２３が発信する電波は届かず、登録用アンテナ２３が発信する電波を受信することはできない。そのため、領域Ｐ３内に位置する無線タグは、登録用アンテナ２３が発信する電波に対して応答しない。
【００１８】
底面部６に設けられた警告用アンテナ２４３は、商品収納部８に向けて微弱な電波を発信する。警告用アンテナ２４３は、登録用アンテナ２３に比べて２倍〜３倍程度の強さの微弱な電波を発信する。警告用アンテナ２４３から発信された電波は、商品収納部８の領域Ｐ４（第２領域）内に位置する無線タグに届く。領域Ｐ４は、警告用アンテナ２４３から上方の近い距離（数十センチ程度）までである。そして、領域Ｐ４内に位置する無線タグは、警告用アンテナ２４３から発信された電波に対して応答し、当該無線タグが記憶している商品特定情報を含む情報を発信する。警告用アンテナ２４３は、当該無線タグが発信したタグ情報を受信する。無線タグリーダ１０は、警告用アンテナ２４３が受信したタグ情報を読み取る。なお、領域Ｐ４内に位置する無線タグには、登録用アンテナ２３が発信する電波は届かず、登録用アンテナ２３が発信する電波を受信することはできない。そのため、領域Ｐ４内に位置する無線タグは、登録用アンテナ２３が発信する電波に対して応答しない。
【００１９】
ここからは、商品収納装置１および商品収納装置１に設けられた無線タグリーダ１０のハードウェアについて説明する。図３は、商品収納装置１および無線タグリーダ１０のハードウェア構成を示すブロック図である。図３において、参照符号１の点線に囲まれているのが商品収納装置１であり、参照符号１０の点線で囲まれているのが無線タグリーダ１０である。図３に示すように、商品収納装置１および無線タグリーダ１０は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述する商品収納装置１および無線タグリーダ１０の制御処理を実行する。
【００２０】
ＲＡＭ１３は、タグ情報記憶部１３１を備える。タグ情報記憶部１３１は、登録用アンテナ２３が受信したタグ情報を記憶する。
【００２１】
メモリ部１４は、ＨＤＤ（Hard  Disc  Drive）やフラッシュメモリ等で構成されており、電源を遮断しても記憶内容を維持する。メモリ部１４は、制御プログラム部１４１を備える。制御プログラム部１４１は商品収納装置１および無線タグリーダ１０を制御するための制御プログラムを記憶する。
【００２２】
制御部１００は、バス１５とコントローラ１６を介して、操作部２１、報知部２２を接続する。また、制御部１００は、バス１５、コントローラ１６および図示しない通信Ｉ／Ｆを介して、登録用アンテナ２３、警告用アンテナ２４を接続する。登録用アンテナ２３が受信したタグ情報が入力される通信Ｉ／Ｆと、警告用アンテナ２４が受信したタグ情報が入力される通信Ｉ／Ｆは異なるため、制御部１００は、タグ情報が入力された通信Ｉ／Ｆがどちらの通信Ｉ／Ｆであるかに基づいて、登録用アンテナ２３で受信したタグ情報であるか、警告用アンテナ２４で受信したタグ情報であるかを判断することができる。なお、警告用アンテナ２４１が受信したタグ情報が入力される通信Ｉ／Ｆ、警告用アンテナ２４２が受信したタグ情報が入力される通信Ｉ／Ｆ、警告用アンテナ２４３が受信したタグ情報が入力される通信Ｉ／Ｆは、同一の通信Ｉ／Ｆであっても、それぞれ異なる通信Ｉ／Ｆであってもよい。
【００２３】
操作部２１は、開始キー２１１、送信キー２１２を含むキーボードである。開始キー２１１は、無線タグからタグ情報を収集するために、登録用アンテナ２３および警告用アンテナ２４から無線タグに向けて電波を送信するためのキーである。送信キー２１２は、タグ情報記憶部１３１に記憶されているタグ情報をＰＯＳ端末９に送信する為のキーである。
【００２４】
報知部２２は、情報を報知するための部材あるいは装置であって、例えば表示ランプである。登録用アンテナ２３と警告用アンテナ２４については前述しているのでここでは説明を省略する。
【００２５】
また、制御部１００は、バス１５を介して、通信インタフェース（Ｉ／Ｆ）２５と接続している。通信インタフェース２８は、例えば近距離無線通信を介して、ＰＯＳ端末９と接続する。制御部１００は、接続されたＰＯＳ端末９との間で、情報の送受信を行う。
【００２６】
次に、ＰＯＳ端末９のハードウェアについて説明する。図４は、ＰＯＳ端末９のハードウェア構成を示すブロック図である。図４に示すように、ＰＯＳ端末９は、ＣＰＵ３１、ＲＯＭ３２、ＲＡＭ３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述するＰＯＳ端末９の制御処理を実行する。
【００２７】
ＲＡＭ３３は、商品情報部３３１を備える。商品情報部３３１は、ＰＯＳ端末９が売上登録処理を行った商品の商品情報（商品名、商品の価格、等）を記憶する。
【００２８】
メモリ部３４は、ＨＤＤやフラッシュメモリ等で構成されており、電源を遮断しても記憶内容を維持する。メモリ部３４は、制御プログラム部３４１および商品マスタ３４２を備える。制御プログラム部３４１はＰＯＳ端末９を制御するための制御プログラムを記憶する。商品マスタ３４２は、店舗で販売しているすべての商品について、商品コードに対応付けて当該商品の商品名や商品の価格を記憶する。
【００２９】
制御部３００は、バス３５とコントローラ３６を介して、操作部４１、店員用表示部４２、客用表示部４３、プリンタ４４、カードリーダ４５を備える。操作部４１は、顧客との取引を終了するために操作する締めキー４１１を含むキーボードである。店員用表示部４２は、店員に向けて商品情報や決済情報等の情報を表示する。客用表示部４３は、顧客に向けて商品情報や決済情報等の情報を表示する。プリンタ４４は、商品情報や決済情報等を印字したレシートを発行する。カードリーダ４５は、クレジットカード等のカード情報を読み取る。
【００３０】
また、制御部３００は、バス３５を介して、通信インタフェース（Ｉ／Ｆ）４６と接続している。通信インタフェース４６は、例えば近距離無線通信を介して、無線タグリーダ１０と接続する。制御部３００は、接続された無線タグリーダ１０との間で、情報の送受信を行う。
【００３１】
ここからは、無線タグリーダ１０の機能構成について説明する。図５は、無線タグリーダの機能構成を示す機能ブロック図である。図５に示すように、無線タグリーダ１０の制御部１００は、制御プログラム部１４１に記憶され、ＲＡＭ１３に展開された制御プログラムに従うことで、記憶部１０１、判断部１０２、報知制御部１０３、送信部１０４として機能する。
【００３２】
記憶部１０１は、登録用アンテナ２３が受信した、商品特定情報を含むラグ情報をタグ情報記憶部１３１に記憶する。
【００３３】
判断部１０２は、登録用アンテナ２３で受信したタグ情報であるか警告用アンテナ２４で受信したタグ情報であるかを判断する。
【００３４】
報知制御部１０３は、商品に係るタグ情報を警告用アンテナ２４では受信して登録用アンテナ２３では受信しなかった場合に、報知部２２に対し、登録用アンテナ２３では当該商品に係るタグ情報を受信していないことを報知する。報知制御部１０３は、タグ情報を警告用アンテナ２４で受信して登録用アンテナ２３では受信しなかった場合に、報知部２２である表示ランプを例えば赤く点灯または点滅させることで、登録用アンテナ２３では商品に係るタグ情報を受信していないことを報知する。
【００３５】
送信部１０４は、記憶部１０１がタグ情報記憶部１３１に記憶したタグ情報を、ＰＯＳ端末９に送信する。
【００３６】
次に、無線タグリーダ１０の制御について説明する。図６は、無線タグリーダ１０の制御処理の流れを示すフローチャートである。図６に示すように、無線タグリーダ１０の制御部１００は、開始キー２１１が操作されたかを判断する（Ｓ１１）。開始キー２１１が操作されたと判断した場合には（Ｓ１１のＹｅｓ）、制御部１００は、登録用アンテナ２３および警告用アンテナ２４から、無線タグの情報を読み取るための電波を発信する（Ｓ１２）。この状態で、登録用アンテナ２３は、領域Ｐ１内に位置する無線タグから、タグ情報を受信する。また、警告用アンテナ２４１は、領域Ｐ２内に位置する無線タグから、タグ情報を受信する。また、警告用アンテナ２４２は、領域Ｐ３内に位置する無線タグから、タグ情報を受信する。また、警告用アンテナ２４３は、領域Ｐ４内に位置する無線タグから、タグ情報を受信する。そして制御部１００は、Ｓ１１に戻る。
【００３７】
開始キー２１１の操作ではないと判断した場合には（Ｓ１１のＮｏ）、制御部１００は、登録用アンテナ２３または警告用アンテナ２４がタグ情報を受信したかを判断する（Ｓ１３）。登録用アンテナ２３または警告用アンテナ２４がタグ情報を受信したと判断した場合には（Ｓ１３のＹｅｓ）、判断部１０２は、登録用アンテナ２３がタグ情報を受信したか警告用アンテナ２４がタグ情報を受信したかを判断する（Ｓ１４）。判断部１０２が、登録用アンテナ２３がタグ情報を受信したと判断した場合には（Ｓ１４のＹｅｓ）、制御部１００は、制御部１００は、受信したタグ情報に含まれる商品特定情報に基づいてタグ情報記憶部１３１を検索して、受信したタグ情報に含まれる商品特定情報がすでにタグ情報記憶部１３１に記憶されているかを判断する（Ｓ１５）。当該商品特定情報を含むタグ情報がまだタグ情報記憶部１３１に記憶されていないと判断した場合には（Ｓ１５のＮｏ）、記憶部１０１は、当該タグ情報を記憶する（Ｓ１６）。そして制御部１００は、Ｓ１１に戻る。一方、受信したタグ情報に含まれる商品特定情報がすでにタグ情報記憶部１３１に記憶されていると判断した場合には（Ｓ１５のＹｅｓ）、制御部１００は、Ｓ１１に戻る。
【００３８】
また、判断部１０２が、登録用アンテナ２３はタグ情報を受信していない（すなわち、警告用アンテナ２４がタグ情報を受信した）と判断した場合には（Ｓ１４のＮｏ）、制御部１００は、受信したタグ情報に含まれる商品特定情報がすでにタグ情報記憶部１３１に記憶されているかを判断する（Ｓ１７）。当該商品特定情報を含むタグ情報がまだタグ情報記憶部１３１に記憶されていないと判断した場合には（Ｓ１７のＮｏ）、報知制御部１０３は、報知部２２を点灯させて、登録用アンテナ２３では当該商品に係るタグ情報を受信していないことを報知する（Ｓ１８）。そして制御部１００は、Ｓ１１に戻る。また、受信したタグ情報に含まれる商品特定情報がすでにタグ情報記憶部１３１に記憶されていると判断した場合には（Ｓ１７のＹｅｓ）、制御部１００は、Ｓ１１に戻る。
【００３９】
また、登録用アンテナ２３も警告用アンテナ２４もタグ情報を受信していないと判断した場合には（Ｓ１３のＮｏ）、制御部１００は、送信キー２１２が操作されたかを判断する（Ｓ２１）。顧客は、購入する商品の精算を行う場合に、精算部に設置されたＰＯＳ端末９まで商品収納装置１を移動させて送信キー２１２を操作する。送信キー２１２が操作されたと判断した場合には（Ｓ２１のＹｅｓ）、制御部１００は、ＰＯＳ端末９に対し、近距離無線通信を使用した接続要求を行う（Ｓ２２）。そして制御部１００は、ＰＯＳ端末９から接続されたことを示す接続応答を受信したかを判断する（Ｓ２３）。接続応答を受信するまで待機し（Ｓ２３のＮｏ）、ＰＯＳ端末９から接続応答を受信した場合には（Ｓ２３のＹｅｓ）、送信部１０４は、タグ情報記憶部１３１に記憶されているすべてのタグ情報をＰＯＳ端末９に送信する（Ｓ２４）。そして制御部１００は、Ｓ１１に戻る。また、送信キー２１２の操作ではないと判断した場合には（Ｓ２１のＮｏ）、制御部１００は、Ｓ１１に戻る。
【００４０】
次に、ＰＯＳ端末９の制御について説明する。図７は、ＰＯＳ端末９の制御処理の流れを示すフローチャートである。図７に示すように、ＰＯＳ端末９の制御部３００は、無線タグリーダ１０から接続要求があったかを判断する（Ｓ３１）。無線タグリーダ１０から接続要求があったと判断した場合には（Ｓ３１のＹｅｓ）、制御部３００は、無線タグリーダ１０との接続を確立する（Ｓ３２）。そして制御部３００は、接続を確立したことを示す応答を当該無線タグリーダ１０に送信する（Ｓ３３）。この状態で、ＰＯＳ端末９は、無線タグリーダ１０と通信が可能となる。そして制御部３００は、Ｓ３１に戻る。
【００４１】
また、無線タグリーダ１０からの接続要求ではないと判断した場合には（Ｓ３１のＮｏ）、制御部３００は、接続を確立した無線タグリーダ１０が送信したタグ情報を受信したかを判断する（Ｓ４１）。無線タグリーダ１０が送信したタグ情報を受信したと判断した場合には（Ｓ４１のＹｅｓ）、制御部３００は、受信したタグ情報に含まれる商品特定情報に基づいて、顧客が購入する商品に係る売上登録処理を実行する（Ｓ３３）。具体的には、制御部３００は、商品特定情報に含まれる商品コードに基づいて商品マスタ３４２を検索して、当該商品コードに対応付けられた商品情報を読み出して商品情報部３３１に記憶する。そして制御部３００は、Ｓ３１に戻る。
【００４２】
また、タグ情報を受信していないと判断した場合には（Ｓ４１のＮｏ）、制御部３００は、締めキー４１１が操作されたかを判断する（Ｓ５１）。締めキー４１１が操作されたと判断した場合には（Ｓ５１のＹｅｓ）、制御部３００は、Ｓ４２で売上登録処理され商品情報部３３１に記憶された商品情報に基づいて、顧客が購入する商品に係る決済処理を実行する（Ｓ５２）。そして制御部３００は、Ｓ３１に戻る。なお、締めキー４１１の操作ではないと判断した場合には（Ｓ５１のＮｏ）、制御部３００は、Ｓ３１に戻る。
【００４３】
このような実施形態によれば、登録用アンテナ２３から無線タグに向けて発信する電波の出力を微弱にして、当該電波が届く領域Ｐ１に位置する無線タグからのタグ情報のみを受信するようにした。そして、無線タグリーダ１０は、登録用アンテナ２３ではタグ情報を受信せずに、警告用アンテナ２４で当該タグ情報を受信した場合には、当該商品に係るタグ情報を登録用アンテナ２３で受信していないことを報知するようにした。当該報知に基づいて顧客は、商品を登録用アンテナ２３に近づけて無線タグを読ませる。そのため、無線タグリーダ１０を備えた商品収納装置１は、登録用アンテナ２３からの出力が小さくても、商品収納部８内に収納された商品に付された無線タグのタグ情報を確実に読み取ることができる。
【００４４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４５】
例えば、実施形態では、表示ランプを報知部２２の一例として説明した。しかしながらこれに限らず、例えば、文字や図形を表示する表示部や、音や音声を出力する音声出力部を報知部２２としてもよい。表示部を報知部２２とする場合は、表示部に、登録用アンテナ２３では商品に係るタグ情報を受信していないことを示すメッセージを表示する。音声出力部を報知部２２とする場合は、音声出力部から、登録用アンテナ２３では商品に係るタグ情報を受信していないことを示す音声を出力する。
【００４６】
また、実施形態では、商品を収納するカゴを商品収納装置１の一例として説明した。しかしながらこれに限らず、たとえば、商品を収納するショッピングカートを商品収納装置１としてもよい。
【００４７】
また、実施形態では、側面部３、側面部４、側面部５および底面部６のすべてに警告用アンテナ２４を設けた。しかしながらこれに限らず、側面部３、側面部４、側面部５および底面部６の少なくとも一つの面に警告用アンテナ２４を設けるようにしてもよい。この場合、警告用アンテナ２４が設けられた面が第２面となる。
【００４８】
また、実施形態では、登録用アンテナ２３を側面部２に設けた。しかしながらこれに限らず、登録用アンテナ２３を側面部３、側面部４、側面部５、底面部６のいずれか一つの面に設けてもよい。しかしながら、登録用アンテナ２３を底面部６に設けることはあまり望ましくない。なぜなら、登録用アンテナ２３を底面部６に設けると、平板７上に積み上げられた商品によって登録用アンテナ２３から発信された電波が無線タグに届かなくなる可能性がるからである。すなわち、好ましくは、登録用アンテナ２３は、側面部２、側面部３、側面部４、側面部５のいずれか一つの面に設けることが望ましい。
【００４９】
なお、実施形態の商品収納装置１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００５０】
また、実施形態の商品収納装置１で実行されるプログラムを、インターネット等のネットワークに接続されたコンピュータ上に格納し、ネットワーク経由でダウンロードさせることにより提供するように構成しても良い。また、実施形態の商品収納装置１で実行されるプログラムをインターネット等のネットワーク経由で提供または配布するように構成しても良い。
【００５１】
また、実施形態の商品収納装置１で実行されるプログラムを、ＲＯＭ等に予め組み込んで提供するように構成してもよい。
【符号の説明】
【００５２】
１      商品収納装置
２      側面部
３      側面部
４      側面部
５      側面部
６      底面部
８      商品収納部
９      ＰＯＳ端末
１０    無線タグリーダ
２２    報知部
２３    登録用アンテナ
２４    警告用アンテナ
１００  制御部
１０１  記憶部
１０２  判断部
１０３  報知制御部
１０４  送信部
１３１  タグ情報記憶部
２４１  警告用アンテナ
２４２  警告用アンテナ
２４３  警告用アンテナ
３００  制御部
Ｐ１    領域
Ｐ２    領域
Ｐ３    領域
Ｐ４    領域
【先行技術文献】
【特許文献】
【００５３】
【特許文献１】特開２００５−１４８９２４号公報
【図１】
2020095555.tif 000003
【図２】
2020095555.tif 000004
【図３】
2020095555.tif 000005
【図４】
2020095555.tif 000006
【図５】
2020095555.tif 000007
【図６】
2020095555.tif 000008
【図７】
2020095555.tif 000009